(57)【特許請求の範囲】
【請求項１】
開口部が設けられてなる壁体の開口内周に沿って配された軸組構成部材に、屋内側から内壁材を貼設して、この内壁材の端縁を上記軸組構成部材の開口面内側の縁部に揃えるとともに、
上記軸組構成部材に対して開口面内側から額縁取付用下地木をビス固定し、この額縁取付用下地木の屋内側見付面を上記内壁材の表面と略面一に揃え、
開口部の内周に沿う見込部分と、この見込部分に直交して少なくとも上記額縁取付用下地木の見付幅よりも大きく開口面外側に張り出した見付部分とを具備する断面略Ｌ字形の木製額縁を、上記見付部分の裏面と上記額縁取付用下地木の屋内側見付面とを接着剤で接着する一方、上記見込部分と上記額縁取付用下地木とは非接着状態で保持するようして、開口内周に取り付けておき、
上記額縁の取り外しに際しては、屋内側から額縁の上記見込部分と上記見付部分との間を切断し、上記額縁取付用下地木に接着された見付部分を残して見込部分を開口内周から離脱させ、上記見込部分が除去された開口面内側から額縁取付用下地木を上記軸組構成部材に固定していた上記ビスを抜き取り、額縁取付用下地木と額縁の見付部分とを一体にして開口内周から取り外すことを特徴とする額縁の取り外し方法。
【発明の詳細な説明】
【技術分野】
【０００１】
本発明は、建物の窓や出入口等の開口部において、開口部枠と壁体との取合部分に取り付けられる額縁の取り外し方法に関する。
【背景技術】
【０００２】
建物の壁面に窓用サッシや出入口等の開口部用建具を設ける場合、開口部枠の屋内側には、開口部枠と壁体との境目を隠すための化粧用造作材として、しばしば断面Ｌ字形の木製額縁が取り付けられる。かかる木製額縁の取付構造としては、例えば特許文献１の図５に開示されているように、開口部内周に沿う見込部分と、この見込部分に直交して開口部の外方に張り出した見付部分とからなる額縁を、開口部内周に沿って配された壁体内の下地桟木等にビス止めして、石こうボード等からなる内壁材の開口端縁に上記見付部分を屋内側から被せる形態が一般的に採用されている。
【特許文献１】特開平１１−１４８２７４号公報
【発明の開示】
【発明が解決しようとする課題】
【０００３】
上記のような額縁の取付構造は、内壁材に額縁の見付部分を接着したり、額縁の見付部分の裏側に内壁材の端縁を飲み込んだ納まりになっているので、例えば経年劣化により額縁が傷ついたり腐食したりして、額縁を取り替える必要が生じた場合には、開口部周囲の内壁材も一緒に壊して額縁を取り外さなければならなかった。
【０００４】
そこで本発明は、内壁材を痛めずに額縁を交換しうる額縁の取り外し方法を提供することを解決課題とする。
【課題を解決するための手段】
【０００５】
上記した目的を達成するため、本発明は、額縁の取り付けに際し、開口部が設けられてなる壁体の開口内周に沿って配された軸組構成部材に、屋内側から内壁材を貼設して、この内壁材の端縁を上記軸組構成部材の開口面内側の縁部に揃えるとともに、上記軸組構成部材に対して開口面内側から額縁取付用下地木をビス固定し、この額縁取付用下地木の屋内側見付面を上記内壁材の表面と略面一に揃え、開口部の内周に沿う見込部分と、この見込部分に直交して少なくとも上記額縁取付用下地木の見付幅よりも大きく開口面外側に張り出した見付部分とを具備する断面略Ｌ字形の木製額縁を、上記見付部分の裏面と上記額縁取付用下地木の屋内側見付面とを接着剤で接着する一方、上記見込部分と上記額縁取付用下地木とは非接着状態で保持するようして、開口内周に取り付けておくものとする。
【０００６】
これにより、額縁の見付部分が内壁材の端縁を隠して美麗な仕上がりが得られる。そして、額縁を交換する際には、屋内側から額縁の見付部分と見込部分との間を鋸等で切断する。すると、額縁取付用下地木に接着された見付部分を残して、額縁の見込部分が開口内周から離脱する。そこで、見込部分が除去された開口面内側から、額縁取付用下地桟木を軸組構成部材に固定していたビスを抜き取る。この手順により、内壁材には一切手を加えずに、また内壁材を全く損傷せずに、額縁及び額縁取付用下地木を取り外すことができる。
【発明の効果】
【０００７】
上述のように構成される本発明の額縁の取り外し方法は、見込部分と見付部分とを具備する断面略Ｌ字形の額縁が、開口内周にビス固定された額縁取付用下地木に対して、額縁取付用下地木の屋内側見付面と額縁の見付部分の裏面とを接着することにより取り付けられているので、屋内側から額縁の見付部分と見込部分との間を切断して額縁の見込部分を開口内周から除去すれば、内壁材には一切手を加えずに、また内壁材を全く損傷せずに、額縁及び額縁取付用下地木を容易に取り外して交換することができる。
【発明を実施するための最良の形態】
【０００８】
以下、本発明の実施の形態について図を参照して説明する。
【０００９】
図１は本発明の実施形態に係る窓開口部の横断面図、図２は同じく縦断面図である。壁体１に設けられた開口部１０には、左右引違い式の窓用サッシ２が設けられている。サッシ２は、屋外側の外障子２１と屋内側の内障子２２とを有し、これらの障子２１、２２は、開口内周に設けられたサッシ枠２３の枠内に建て込まれている。例示のサッシ枠２３は、上下左右いずれも、アルミ型材からなる屋外側枠材と屋内側枠材とが断熱樹脂を介して結合された断熱仕様となっている。サッシ枠２３は、適宜の構造及び手段によって、壁体１の開口内周に固定されている。また、外障子２１の屋外側には網戸２４が取り付けられている。なお、本発明においては、壁体１の内部構造や、サッシ２を構成する外障子２１、内障子２２及びサッシ枠２３等の詳細な断面形状、サッシ２の開閉方式等は特に限定しない。
【００１０】
壁体１には、適宜の断面寸法を有する軸組構成部材３が開口内周に沿って配設され、この軸組構成部材３に重ねるようにして、石こうボード等からなる内壁材４が屋内側から壁体１に貼設される。内壁材４の開口端縁の位置は、軸組構成部材３の開口面内側の縁部に揃えられている。
【００１１】
また、サッシ枠２３の屋内側には、化粧木枠５が取り付けられている。この化粧木枠５は、上記軸組構成部材３よりも屋外側の位置で、適宜の構造及び手段により壁体１の開口内周に固定されている。そして、この化粧木枠５の屋内側に、本発明の要部をなす木製の額縁６が取り付けられる。
【００１２】
額縁６は、開口部１０の内周に沿う見込部分６１と、この見込部分６１に直交して開口面外側に張り出した見付部分６２とを具備する断面略Ｌ字形の部材である。見込部分６１の屋外側端部には雄実部６３が突設されて、この雄実部が、化粧木枠５の屋内側見付面に凹設された溝部５１内に嵌め込まれるようになっている。
【００１３】
額縁６の取り付けに際しては、まず、軸組構成部材３の開口面内側の縁部に額縁取付用下地木７を取り付ける。額縁取付用下地木７は、軸組構成部材３の見込寸法と内壁材４の厚みとを重ねた程度の見込寸法を有する部材で、屋内側見付面を内壁材４の表面と略面一に揃えるようにして、開口面内側から軸組構成部材３に対してビス固定される。
【００１４】
そして、額縁６の見付部分６２の裏面、及び額縁取付用下地木７の屋内側見付面のうち、いずれか一方または双方に接着剤８を塗布して、屋内側から額縁６を開口面内に進入させ、額縁６の見付部分６２の裏面を額縁取付用下地木７の屋内側見付面に押し当てて接着する。このとき、額縁６の見込部分６１と額縁取付用下地木７とは非接着の状態で保持される。額縁６の見付部分６２の幅を額縁取付用下地木７の見付幅よりも大きく形成しておくことにより、内壁材４の開口端縁が額縁６の見付部分６２の裏側に隠れる。
【００１５】
このように、本発明の額縁の取付構造は、開口面内周に沿って軸組構成部材３にビス固定した額縁取付用下地木７に対し、額縁６の見付部分６２だけが接着剤８で取り付けられる構成となっている。したがって、額縁６が経年劣化等によって損傷したり腐食したりした場合には、図３〜４に示すような手順で解体・交換することができる。
【００１６】
すなわち、解体に際しては、まず、額縁６の見込部分６１の裏面を見付部分６２の表面まで延長したあたりの位置（図３、４中の符号Ａのライン）に屋内側から鋸を入れて、額縁６の見付部分６２と見込部分６１とを切り離す。すると、額縁取付用下地木７に接着されている見付部分６２を残して、非接着であった見込部分６１が開口内周から離脱する。そこで、この見込部分６１が除去された開口面内側から、額縁取付用下地木７を軸組構成部材３に固定していたビスを抜き取る。すると、額縁取付用下地木７と額縁６の見付部分６２とが一体になって軸組構成部材３から外れる。このようにして、内壁材４には一切手を加えずに、また内壁材４を全く損傷せずに、額縁６及び額縁取付用下地木７を取り外すことができる。
【００１７】
新たな額縁６を取り付ける場合には、改めて、新しい額縁取付用下地木７を軸組構成部材３にビス固定し、その新しい額縁取付用下地木７に新しい額縁６の見付部分６２を接着する。こうして、額縁６の取付及び交換に係る作業性を格段に向上させることができる。この取付構造に係る額縁６は、屋内側に一本のビス頭も露出しないので仕上がりの美観にも優れる。また、額縁６の取付面等に複雑な断面形状の加工を施す必要もないので、経済的でもある。
【００１８】
なお、本発明の額縁の取付構造は、例示したような窓用サッシ２の額縁６だけでなく、外壁や屋内の間仕切り壁に設けられる出入口用建具の額縁についても同様にして実施可能である。
【図面の簡単な説明】
【００１９】
【図１】本発明の実施形態に係る額縁の取付構造を示す開口部の横断面図である。
【図２】同じく、開口部の縦断面図である。
【図３】額縁の解体手順を示す横断面方向の説明図である。
【図４】同じく、縦断面方向の説明図である。
【符号の説明】
【００２０】
１    壁体
１０  開口部
３    軸組構成部材
４    内壁材
６    額縁
６１  見込部分
６２  見付部分
７    額縁取付用下地木
８    接着剤
【図１】
0004635843.tif 000002
【図２】
0004635843.tif 000003
【図３】
0004635843.tif 000004
【図４】
0004635843.tif 000005